(57)【特許請求の範囲】
【請求項１】
映像信号及び当該映像信号に対応した音声信号からなる素材信号を任意に設定された編集点で接続することにより編集する編集装置において、
上記音声信号の無音部を検出する無音部検出手段と、
上記映像信号のシーンチエンジ点を検出するシーンチエンジ検出手段と、
上記設定された編集点が上記無音部であるか否かを判断する無音部判断手段と、
上記設定された編集点を中心として予め設定された所定範囲以内に上記シーンチエンジ点があるか否かを判断するシーンチエンジ点判断手段と、
上記無音部判断手段によって上記編集点が上記無音部と判断され、かつ上記シーンチエンジ点判断手段によって上記所定範囲内に上記シーンチエンジ点がある場合に、上記編集点を補正編集点として決定する編集点補正手段と
を具えることを特徴とする編集装置。
【請求項２】
上記編集点補正手段は、
上記シーンチエンジ点判断手段の判断結果に基づいて上記所定範囲内に上記シーンチエンジ点が存在すると判断され、上記無音部判断手段の判断結果に基づいて上記シーンチエンジ点が上記無音部であると判断された場合上記設定された編集点を上記所定範囲内で最も近い上記シーンチエンジ点に補正する
ことを特徴とする請求項１に記載の編集装置。
【請求項３】
映像信号及び当該映像信号に対応した音声信号からなる素材信号を任意に設定された編集点で接続することにより編集する編集装置において、
上記音声信号の有音部を検出する有音部検出手段と、
上記映像信号のシーンチエンジ点を検出するシーンチエンジ検出手段と、
上記設定された編集点が上記有音部であるとき、当該編集点を中心として予め設定された所定範囲以内に上記シーンチエンジ点があるか否かを判断するシーンチエンジ点判断手段と、
上記所定範囲内に上記無音部があるか否かを判断する無音部判断手段と、
上記編集点が上記有音部であり、上記所定範囲内に上記シーンチエンジ点があると判断され、かつ上記所定範囲内に上記無音部が無いと判断された場合に、上記所定範囲内にある上記シーンチエンジ点を補正編集点として決定する編集点補正手段と
を具えることを特徴とする編集装置。
【請求項４】
上記編集点補正手段は、
上記設定された編集点が上記有音部であるとき、上記無音部判断手段の判断結果に基づいて上記所定範囲内に上記無音部がなく、上記シーンチエンジ点判断手段の判断結果に基づいて上記所定範囲内に上記シーンチエンジ点があると判断された場合、上記設定された編集点を上記所定範囲内で最も近い上記シーンチエンジ点に補正する
ことを特徴とする請求項３に記載の編集装置。
【請求項５】
映像信号及び当該映像信号に対応した音声信号からなる素材信号を任意に設定された編集点で接続することにより編集する編集方法において、
上記音声信号の無音部を検出する無音部検出ステップと、
上記設定された編集点が上記無音部であるか否かを判断する無音部判断ステップと
上記設定された編集点を中心として予め設定された所定範囲以内に上記シーンチエンジ点があるか否かを判断するシーンチエンジ点判断ステップと、
上記無音部判断ステップによって上記編集点が上記無音部と判断され、かつ上記シーンチエンジ点判断ステップによって上記所定範囲内に上記シーンチエンジ点がある場合に、上記編集点を補正編集点として決定する編集点補正ステップと
を具えることを特徴とする編集方法。
【請求項６】
上記編集点補正ステップは、
上記第１の判断ステップの判断結果に基づいて上記所定範囲内に上記シーンチエンジ点が存在すると判断され、上記第２の判断ステップの判断結果に基づいて上記シーンチエンジ点が上記無音部であると判断された場合上記設定された編集点を上記所定範囲内で最も近い上記シーンチエンジ点に補正する
ことを特徴とする請求項５に記載の編集方法。
【請求項７】
映像信号及び当該映像信号に対応した音声信号からなる素材信号を任意に設定された編集点で接続することにより編集する編集方法において、
上記音声信号の有音部を検出する有音部検出ステップと、
上記映像信号のシーンチエンジ点を検出するシーンチエンジ検出ステップと、
上記設定された編集点が上記有音部であるとき、当該編集点を中心として予め設定された所定範囲以内に上記シーンチエンジ点があるか否かを判断するシーンチエンジ点判断ステップと、
上記所定範囲内に上記無音部があるか否かを判断する無音部判断ステップと、
上記編集点が上記有音部であり、上記所定範囲内に上記シーンチェンジ点があると判断され、かつ上記所定範囲内に上記無音部が無いと判断された場合に、上記所定範囲内にある上記シーンチエンジ点を補正編集点として決定する編集点補正ステップと
を具えることを特徴とする編集方法。
【請求項８】
上記編集点補正ステップは、
上記設定された編集点が上記有音部であるとき、上記無音部判断ステップの判断結果に基づいて上記所定範囲内に上記無音部がなく、上記シーンチエンジ点判断ステップの判断結果に基づいて上記所定範囲内に上記シーンチエンジ点があると判断された場合、上記設定された編集点を上記所定範囲内で最も近い上記シーンチエンジ点に補正する
ことを特徴とする請求項７に記載の編集方法。
【請求項９】
所定の記録媒体に対して映像信号及び当該映像信号に対応した音声信号からなる素材信号を任意に設定された編集点で接続することにより編集する信号記録再生装置において、
上記素材信号の上記記録媒体に対する記録時又は再生時に上記音声信号の無音部を検出する無音部検出手段と、
上記映像信号のシーンチエンジ点を検出するシーンチエンジ検出手段と、
上記設定された編集点が上記無音部であるか否かを判断する無音部判断手段と、
上記設定された編集点を中心として予め設定された所定範囲以内に上記シーンチエンジ点があるか否かを判断するシーンチエンジ点判断手段と、
上記無音部判断手段によって上記編集点が上記無音部と判断され、かつ上記シーンチエンジ点判断手段によって上記所定範囲内に上記シーンチエンジ点がある場合に、上記編集点を補正編集点として決定する編集点補正手段と
を具えることを特徴とする信号記録再生装置。
【請求項１０】
上記編集点補正手段は、
上記第１の判断手段の判断結果に基づいて上記所定範囲内に上記シーンチエンジ点が存在すると判断され、上記シーンチエンジ点判断手段の判断結果に基づいて上記シーンチエンジ点が上記無音部であると判断された場合上記設定された編集点を上記所定範囲内で最も近い上記シーンチエンジ点に補正する
ことを特徴とする請求項９に記載の信号記録再生装置。
【請求項１１】
所定の記録媒体に対して映像信号及び当該映像信号に対応した音声信号からなる素材信号を任意に設定された編集点で接続することにより編集する信号記録再生装置において、
上記音声信号の有音部を検出する有音部検出手段と、
上記映像信号のシーンチエンジ点を検出するシーンチエンジ検出手段と、
上記設定された編集点が上記有音部であるとき、当該編集点を中心として予め設定された所定範囲以内に上記シーンチエンジ点があるか否かを判断するシーンチエンジ点判断手段と、
上記所定範囲内に上記無音部があるか否かを判断する無音部判断手段と、
上記編集点が上記有音部であり、上記所定範囲内に上記シーンチエンジ点があると判断され、かつ上記所定範囲内に上記無音部が無いと判断された場合に、上記所定範囲内にある上記シーンチエンジ点を補正編集点として決定する編集点補正手段と
を具えることを特徴とする信号記録再生装置。
【請求項１２】
上記編集点補正手段は、
上記設定された編集点が上記有音部であるとき、上記第４の判断手段の判断結果に基づいて上記所定範囲内に上記無音部がなく、上記第３の判断手段の判断結果に基づいて上記所定範囲内に上記シーンチエンジ点があると判断された場合、上記設定された編集点を上記所定範囲内で最も近い上記シーンチエンジ点に補正する
ことを特徴とする請求項１１に記載の信号記録再生装置。
【請求項１３】
所定の記録媒体に対して映像信号及び当該映像信号に対応した音声信号からなる素材信号を任意に設定された編集点で接続することにより編集する信号記録再生方法において、
上記音声信号の無音部を検出する無音部検出ステップと、
上記映像信号のシーンチエンジ点を検出するシーンチエンジ検出ステップと、
上記設定された編集点が上記無音部であるか否かを判断する無音部判断ステップと、
上記設定された編集点を中心として予め設定された所定範囲以内に上記シーンチエンジ点があるか否かを判断するシーンチエンジ点判断ステップと、
上記無音部判断手段によって上記編集点が上記無音部と判断され、かつ上記シーンチエンジ点判断手段によって上記所定範囲内に上記シーンチエンジ点がある場合に、上記編集点を補正編集点として決定する編集点補正ステップと
を具えることを特徴とする信号記録再生方法。
【請求項１４】
上記編集点補正ステップは、
上記第１の判断ステップの判断結果に基づいて上記所定範囲内に上記シーンチエンジ点が存在すると判断され、上記第２の判断ステップの判断結果に基づいて上記シーンチエンジ点が上記無音部であると判断された場合上記設定された編集点を上記所定範囲内で最も近い上記シーンチエンジ点に補正する
ことを特徴とする請求項１３に記載の信号記録再生方法。
【請求項１５】
所定の記録媒体に対して映像信号及び当該映像信号に対応した音声信号からなる素材信号を任意に設定された編集点で接続することにより編集する信号記録再生方法において、
上記音声信号の有音部を検出する有音部検出ステップと、
上記映像信号のシーンチエンジ点を検出するシーンチエンジ検出ステップと、
上記設定された編集点が上記有音部であるとき、当該編集点を中心として予め設定された所定範囲以内に上記シーンチエンジ点があるか否かを判断するシーンチエンジ点判断ステップと、
上記所定範囲内に上記無音部があるか否かを判断する無音部判断ステップと、
上記編集点が上記有音部であり、上記所定範囲内に上記シーンチエンジ点があると判断され、かつ上記所定範囲内に上記無音部が無いと判断された場合に、上記所定範囲内にある上記シーンチエンジ点を補正編集点として決定する編集点補正ステップと
を具えることを特徴とする信号記録再生方法。
【請求項１６】
上記編集点補正ステップは、
上記設定された編集点が上記有音部であるとき、上記第４の判断ステップの判断結果に基づいて上記所定範囲内に上記無音部がなく、上記第３の判断手段の判断結果に基づいて上記所定範囲内に上記シーンチエンジ点があると判断された場合、上記設定された編集点を上記所定範囲内で最も近い上記シーンチエンジ点に補正する
ことを特徴とする請求項１５に記載の信号記録再生方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）全体構成（図１）
（２）記録系の構成（図２〜図７）
（３）再生系の構成（図８）
（４）編集点設定処理（図９〜図１４）
（５）スキツプ再生処理（図１５及び図１６）
（６）実施の形態の動作及び効果（図１７及び図１８）
（７）他の実施の形態
発明の効果
【０００３】
【発明の属する技術分野】
本発明は編集装置及びその方法並びに信号記録再生装置及びその方法に関し、例えばデイスク状記録媒体に所定の信号を記録した後、当該記録済の信号を再生して、これを編集する編集装置及びその方法並びに信号記録再生装置及びその方法に適用して好適なものである。
【０００４】
【従来の技術】
従来、記録媒体に対して記録された連続した映像音声信号（素材映像及び素材音声）のなかから必要部分のみを断片的に再生し、当該再生された信号を繋ぎ合わせることにより、一連の編集済映像音声信号を得る編集方法がある。
【０００５】
【発明が解決しようとする課題】
ところが、かかる編集方法においては、ユーザが編集しようとする素材映像を見ながら編集点を指定するようになされており、ユーザが指定した編集点が素材音声の途中であると、音声が途中で途切れることになり、編集された編集済映像音声信号において音声が不連続となり違和感を生じる問題があつた。
【０００６】
またユーザが指定した編集時に繋ぎ合わせられた２つの音声信号領域にレベル差があると、いわゆるボツ音と呼ばれる不自然な不連続音が生じる問題があつた。
【０００７】
さらにＭＰＥＧ(Motion Picture Experts Group)規格で映像信号を記録するようになされた編集装置においては、ＧＯＰ(Group Of Picture)単位で画像を生成するようになされていることにより、各ＧＯＰの区切れにおいてのみ編集点を指定し得るようになされている。従つてこの場合、ユーザが映像を見ながら編集点を指定しても、当該指定された編集点がＧＯＰの途中であると、編集装置はユーザが指定した編集点を当該編集点に最も近いＧＯＰの区切れに再設定する。この場合、音声の区切れは考慮されず、音声の途中に編集点が再設定されると編集済の音声に不自然な不連続音が生じる問題があつた。
【０００８】
本発明は以上の点を考慮してなされたもので、編集後に不自然な音声の不連続が生じることを回避し得る編集装置及びその方法並びに信号記録再生装置及びその方法を提案しようとするものである。
【０００９】
【課題を解決するための手段】
かかる課題を解決するため本発明においては、映像信号及び当該映像信号に対応した音声信号からなる素材信号を任意に設定された編集点で接続することにより編集する編集装置において、音声信号の無音部を検出する無音部検出手段と、映像信号のシーンチエンジ点を検出するシーンチエンジ検出手段と、設定された編集点が無音部であるか否かを判断する無音部判断手段と設定された編集点を中心として予め設定された所定範囲以内にシーンチエンジ点があるか否かを判断するシーンチエンジ点判断手段と、無音部判断手段によって編集点が無音部と判断され、かつシーンチエンジ点判断手段によって所定範囲内にシーンチエンジ点がある場合に、編集点を補正編集点として決定することにより、編集点において接続された映像と音声との間において不自然なつながりを回避することができる。
また映像信号及び当該映像信号に対応した音声信号からなる素材信号を任意に設定された編集点で接続することにより編集する編集装置において、音声信号の有音部を検出する有音部検出手段と、映像信号のシーンチエンジ点を検出するシーンチエンジ検出手段と、設定された編集点が有音部であるとき、当該編集点を中心として予め設定された所定範囲以内にシーンチエンジ点があるか否かを判断するシーンチエンジ点判断手段と、所定範囲内に無音部があるか否かを判断する無音部判断手段と、編集点が有音部であり、所定範囲内にシーンチエンジ点があると判断され、かつ所定範囲内に無音部が無いと判断された場合に、所定範囲内にあるシーンチエンジ点を補正編集点として決定することにより、編集点において映像と音声の間で違和感のないつながりが得られる。
【００１０】
【発明の実施の形態】
以下図面について、本発明の一実施の形態を詳述する。
【００１１】
（１）全体構成
図１において１０は全体として編集装置として用いられる映像及び音声信号記録再生装置を示し、ユーザが操作部（図示せず）を操作することによつて記録動作を指定すると、当該記録命令は記録制御信号入力部１０２を介し、記録制御信号ＣＯＮＴ１０２としてシステムコントローラ１０４に供給される。システムコントローラ１０４は当該記録制御信号ＣＯＮＴ１０２に基づいて制御信号ＣＯＮＴ１０４を各処理部及び制御部に送出することにより、映像及び音声信号記録再生装置１０を記録動作させる。
【００１２】
このとき、映像及び音声信号記録再生装置１０は外部から入力される映像信号ＶＤ１０及び音声信号ＡＵ１０を記録系１０REC の記録信号処理部２０に入力する。
【００１３】
記録信号処理部２０は、映像信号ＶＤ１０に対してＭＰＥＧ(Motion Picture Experts Group)規格に基づいた帯域圧縮を施すと共に、音声信号ＡＵ１０に対してＭＰＥＧオーデイオやＡＣ−３といつた規格に基づく帯域圧縮を施し、この結果得られる映像データ及び音声データを多重化することによりプログラムストリームやトランスポートストリームといつたパケツト単位のデータ列を生成し、これを記録データＤ５０として光デイスクドライブ６０に搭載された光デイスクに記録する。
【００１４】
光デイスクは、デイスク／ヘツド制御部１０１から供給される制御信号ＣＯＮＴ１０１によつてサーボ及びヘツドの移動等の制御が行われ、記録データＤ５０はシステムコントローラ１０４の制御の下に映像フレーム（30フレーム／秒）ごとに割り当てられた所定のアドレス領域に記録される。このときシステムコントローラ１０４は、記録データＤ５０の映像フレーム及びこれに対応した音声データごとに後述するＴＯＣ(Table Of Contents) 情報を生成し、このＴＯＣ情報をＴＯＣデータＤTOC として光デイスクドライブ６０に送出することによりこれを光デイスクのＴＯＣ記録領域に記録する。システムコントローラ１０４は光デイスクに記録された記録データＤ５０を再生する際に、ＴＯＣ情報を参照しながらこれに応じて映像及び音声を所定の再生順に再生する。
【００１５】
ここで、記録信号処理部２０はＭＰＥＧ方式で帯域圧縮する前のデイジタル映像信号（後述する選択デイジタル映像信号）ＶＤ２６及びデイジタル音声信号（後述する選択デイジタル音声信号）ＡＵ４１を信号検出部４０に供給するようになされている。信号検出部４０は選択デイジタル映像信号ＶＤ２６のシーンチエンジ（画面のシーンが切り換わる位置又はカメラアングル等が大きく変化する位置等）を検出しこれをシーンチエンジ検出信号Ｓ４０Ｖとしてシステムコントローラ１０４に供給すると共に、選択デイジタル音声信号ＡＵ４１の無音部分を検出しこれを無音検出信号Ｓ４０Ａとしてシステムコントローラ１０４に供給する。
【００１６】
システムコントローラ１０４は信号検出部４０から供給されるシーンチエンジ検出信号Ｄ４０Ｖ及び無音検出信号Ｓ４０Ａに基づいて、シーンチエンジ及び又は無音の発生したフレームに対応するＴＯＣ情報にこれら（シーンチエンジ及び又は無音）の発生を表す情報（フラグ）を記録時のＴＯＣ生成時に記述する。
【００１７】
これに対して再生系１０PBは、ユーザが所定の操作部（図示せず）を操作することによつて再生動作を指定すると、当該再生命令は再生制御信号入力部１０３を介して再生制御信号ＣＯＮＴ１０３としてシステムコントローラ１０４に送出する。これによりシステムコントローラ１０４は、まず光デイスクからＴＯＣ情報ＤTOC を再生し、これを内部メモリに格納する。そして当該格納されたＴＯＣ情報に基づいて順次フレームごとに光デイスクから記録済のデータ（記録データＤ５０）を再生データＤ６０として読み出し、これを再生信号処理部７０に供給する。
【００１８】
再生信号処理部７０は、再生データＤ６０として光デイスクから読み出されるプログラムストリームやトランスポートストームからユーザによつて指定された所定チヤンネルの映像及び音声データを分離した後、映像データに対してＭＰＥＧ規格に基づいた帯域伸張を施すと共に、音声データに対してＭＰＥＧオーデイオやＡＣ−３といつた規格に基づく帯域伸張を施した後、これらをデイジタル／アナログ変換することにより再生映像信号ＶＤ１００及び再生音声信号ＡＵ１００を得、これを外部に接続されたモニタ等の表示手段に表示する。
【００１９】
このとき、ユーザはモニタに表示された再生映像を見ながら所定の編集点指定操作部（図示せず）を操作することにより、ユーザがスキツプイン点及びこれに対応するスキツプアウト点を再生映像の各フレームに対応して設定することができる。すなわち、ユーザがスキツプアウト点を指定すると、当該指定信号は再生制御信号入力部１０３を介してシステムコントローラ１０４に供給される。システムコントローラ１０４は当該スキツプアウト点を指定する信号が入力されると、このとき再生中のフレームに対応したＴＯＣ情報にスキツプアウト点を表す情報を書き込む。このようにしてスキツプアウト点が指定された場合、これに続いてユーザが再生映像をモニタ上で確認しながらスキツプイン点を指定すると当該指定されたイン点がスキツプ先としてＴＯＣ情報に記述される。これにより、後述するスキツプ再生を行う際に、スキツプアウト点として指定されたフレームが再生されると、当該フレームに対応したＴＯＣ情報に基づいてスキツプ先であるイン点に再生位置がスキツプされる。
【００２０】
因みに、再生系１０PBにおいては、再生信号処理部７０においても再生されたデイジタル映像信号（後述する選択デイジタル映像信号ＶＤ７３）及び再生されたデイジタル音声信号（後述する選択デイジタル音声信号ＡＵ８７）を信号検出部８０に入力するようになされており、信号検出部８０においてシーンチエンジ及び無音部分を検出しこれをシーンチエンジ検出信号Ｓ８０Ｖ及び無音検出信号Ｓ８０Ａとしてシステムコントローラ１０４に送出するようになされている。
【００２１】
これにより光デイスクに既に記録済の映像及び音声データのＴＯＣ情報にシーンチエンジ情報や無音情報が未記述である場合又は、記録済の映像及び音声データに対応したＴＯＣ情報が生成されていない場合であつても、光デイスクから記録済の映像及び音声データを一旦再生することにより、シーンチエンジ情報及び無音情報をＴＯＣ情報に記述することができる。
【００２２】
（２）記録系の構成
図１との対応部分に同一符号を付して示す図２において、映像及び音声信号記録再生装置１０（図１）の記録系１０REC は、例えばユーザの操作に応じて記録制御信号入力部１０２から制御信号ＣＯＮＴ１０２がシステムコントローラ１０４に供給されることにより、当該システムコントローラ１０４が制御信号ＣＯＮＴ１０２に応じて各回路部を制御するようになされている。
【００２３】
この記録系１０REC において、外部から入力される映像信号ＶＤ１０として、アナログの映像信号ＶＤ１０Ｄ、ビデオカメラから出力されるカメラ出力映像信号ＶＤ１０Ｅ、アンテナを介して受信される放送波信号Ｓ１０を記録信号処理部２０の映像信号処理部２１、カメラ信号処理部２２及びチユーナ部２３にそれぞれ受ける。映像信号処理部２１はアナログの映像信号ＶＤ１０Ｄに対して映像信号処理を施した後、これを映像信号切換部２４に送出する。
【００２４】
またカメラ信号処理部２２はカメラ出力映像信号ＶＤ１０Ｅに対して所定の映像信号処理を施した後、これを映像信号切換部２４に送出する。さらに、チユーナ部２３は受信した放送波信号Ｓ１０を受信映像信号Ｓ１０Ａ及び受信音声信号Ｓ１０Ｂに分離し、受信映像信号Ｓ１０Ａを映像信号切換部２４に送出する。
【００２５】
映像信号切換部２４は、映像信号ＶＤ１０Ｄ、カメラ出力映像信号ＶＤ１０Ｅ又は受信映像信号Ｓ１０Ａのうち、ユーザ（システムコントローラ１０４）によつて指定されたいずれかの映像信号を選択し、これを選択映像信号ＶＤ２４として続く映像信号アナログ／デイジタル変換部２５に送出する。
【００２６】
映像信号アナログ／デイジタル変換部２５は、入力された選択映像信号ＶＤ２４をデイジタル信号に変換した後、これをデイジタル映像信号ＶＤ２５として映像信号切換部２６に送出する。
【００２７】
ここで、記録系１０REC の記録信号処理部２０においては、外部から入力されるデイジタル映像信号ＶＤ１０Ｃ、ＤＶ（Digital Video ）方式によつて圧縮されたＤＶ信号ＶＤ１０Ｂ、所定方式で圧縮された圧縮デイジタル映像信号ＶＤ１０Ａを入力するようになされている。このうち、デイジタル映像信号ＶＤ１０Ｃは映像信号切換部２６に直接入力されるのに対して、ＤＶ方式で圧縮されたＤＶ信号ＶＤ１０ＢはＤＶ方式伸張部２７において伸張されることにより、記録信号処理部２０において処理し得る信号形態のＤＶ伸張映像信号ＶＤ２７に変換され、映像信号切換部２６に入力される。
【００２８】
映像信号切換部２６は、映像信号アナログ／デイジタル変換部２５から供給されるデイジタル映像信号ＶＤ２５、外部から直接供給されるデイジタル映像信号ＶＤ１０Ｃ又はＤＶ方式伸張部２７から供給されるＤＶ伸張映像信号ＶＤ２７のいずれかを選択し、これを選択デイジタル映像信号ＶＤ２６として映像信号帯域圧縮処理部２９に送出する。
【００２９】
映像信号帯域圧縮処理部２９は、映像信号切換部２６において選択された選択デイジタル映像信号ＶＤ２６に対して、ＭＰＥＧ(Motion Picture Experts Group)又はＪＰＥＧ(Joint Photographic Experts Group)といつた帯域圧縮手法により圧縮処理を施すことにより圧縮デイジタル映像信号ＶＤ２９を生成し、これを映像信号切換部３５に送出する。
【００３０】
映像信号切換部３５は、映像信号帯域圧縮処理部２９から供給される圧縮映像信号ＶＤ２９又は、圧縮方式変換部２８において当該記録信号処理部２０に適合した圧縮方式に変換された圧縮デイジタル映像信号ＶＤ２８のいずれかを選択し、これを選択圧縮デイジタル映像信号ＶＤ３５として続く多重化部５１に供給する。
【００３１】
またこれと同時に、記録系１０REC は、外部から入力される音声信号ＡＵ１０として、アナログの音声信号ＡＵ１０Ｄ、外部マイクを介して入力されるマイク入力音声信号ＡＵ１０Ｃ、アンテナを介して受信される放送波信号Ｓ１０を記録信号処理部２０の音声信号処理部３６、マイク入力音声処理部３７及びチユーナ部２３にそれぞれ受ける。音声信号処理部３６はアナログの音声信号ＡＵ１０Ｄに対して所定の音声信号処理を施した後、これを音声信号切換部３８に送出する。
【００３２】
またマイク入力音声処理部３７は、マイク入力音声信号ＡＵ１０Ｃに対して所定の音声信号処理を施した後、これを音声信号切換部３８に送出する。さらに、チユーナ部２３は受信した放送波信号Ｓ１０から受信音声信号Ｓ１０Ｂを分離し、これを音声信号切換部３８に送出する。
【００３３】
音声信号切換部３８は、音声信号ＡＵ１０Ｄ、マイク入力音声信号ＡＵ１０Ｃ又は受信音声信号Ｓ１０Ｂのうち、ユーザ（システムコントローラ１０４）によつて指定されたいずれかの音声信号を選択し、これを選択音声信号ＡＵ３８として続く音声信号アナログ／デイジタル変換部３９に送出する。
【００３４】
音声信号アナログ／デイジタル変換部３９は、入力された選択音声信号ＡＵ３８をデイジタル信号に変換した後、これをデイジタル音声信号ＡＵ３９として音声信号切換部４１に送出する。
【００３５】
ここで、記録系１０REC の記録信号処理部２０においては、外部からデイジタル音声信号ＡＵ１０Ａを音声信号切換部４１に直接入力するようになされている。音声信号切換部４１は、音声信号アナログ／デイジタル変換部３９から供給されるデイジタル音声信号ＡＵ３９又は外部から直接供給されるデイジタル音声信号ＡＵ１０Ａのいずれかを選択し、これを選択デイジタル音声信号ＡＵ４１として音声信号帯域圧縮処理部４２に送出する。
【００３６】
音声信号帯域圧縮処理部４２は、音声信号切換部４１において選択された選択デイジタル音声信号ＡＵ４１に対して、ＭＰＥＧ(Motion Picture Experts Group)オーデイオ又はＡＣ−３といつた帯域圧縮手法により圧縮処理を施すことにより圧縮デイジタル音声信号ＡＵ４２を生成し、これを音声信号切換部４３に送出する。因みに、映像及び音声信号記録再生装置１０は音声信号ＡＵ１０としてリニアＰＣＭ等の非圧縮信号を扱うようにしても良く、この場合には圧縮処理を行わない。
【００３７】
音声信号切換部４３は、音声信号帯域圧縮処理部４２から供給される圧縮デイジタル音声信号ＡＵ４２又は、圧縮方式変換部２８において当該記録信号処理部２０に適合した圧縮方式に変換された圧縮デイジタル音声信号ＡＵ２８のいずれかを選択し、これを選択圧縮デイジタル音声信号ＡＵ４３として続く多重化部５１に供給する。
【００３８】
多重化部５１は、映像信号切換部３５から供給される選択圧縮デイジタル映像信号ＶＤ３５及び音声信号切換部４３から供給される選択圧縮デイジタル音声信号ＡＵ４３を内部に設けられた多重化バツフアに一旦格納した後、これらを所定データ単位のパケツトごとに所定のタイミングでバスＢＵＳに出力する。これにより選択圧縮デイジタル映像信号ＶＤ３５及び選択圧縮デイジタル音声信号ＡＵ４３は多重化され、ＭＰＥＧ規格で規定されたプログラムストリームやトランスポートストリーム構成の多重化データＤ４０として記録データ処理部５３に供給される。このとき多重化されたストリームには、システムコントローラ１０４から供給される時間情報及びストリーム情報等のヘツダ情報が付加される。
【００３９】
記録データ処理部５３は、多重化データＤ４０に対して記録フオーマツトに合わせたデータの並べ換え、エラー訂正符号の付加、ＥＦＭ(Eight to Fourteen Modulation)変調等の処理を施した後、これを記録データＤ５０として光デイスクドライブ６０に搭載された光デイスクに記録する。
【００４０】
ここで、記録信号処理部２０の映像信号切換部２６から出力される選択デイジタル映像信号ＶＤ２６は信号検出部４０のシーンチエンジ検出部４０Ｖに供給されると共に、音声信号切換部４１から出力される選択デイジタル音声信号ＡＵ４１は信号検出部４０の無音検出部４０Ａに供給される。
【００４１】
シーンチエンジ検出部４０Ｖは、図３に示すように、選択デイジタル映像信号ＶＤ２６をフレーム間相関判定回路４０Ｖ2 に入力すると共に遅延回路４０Ｖ1 に入力する。遅延回路４０Ｖ1 は入力された選択デイジタル映像信号ＶＤ２６を所定フレーム（この実施の形態の場合１フレーム）だけ遅延させることにより遅延映像信号Ｓ４０Ｖ1 を得、これをフレーム間相関判定回路４０Ｖ2 に送出する。
【００４２】
フレーム間相関判定回路４０Ｖ2 は、選択デイジタル映像信号ＶＤ２６でなるスルー映像及び遅延映像信号Ｓ４０Ｖ1 でなる遅延映像を比較することにより、これら時間差のある２つの映像に相関があるか否かを判定する。すなわち、フレーム間相関判定回路４０Ｖ2 は、先ずスルー映像及び遅延映像の各画素ごとに信号レベルの差分を算出し、これらの絶対値の総和を相関値とする。
【００４３】
この場合、図４（Ａ）及び（Ｂ）に示すように、スルー映像及び遅延映像の画像サイズをそれぞれｎ画素×ｍ画素とし、各画素の水平方向座標軸をｉ、垂直方向座標軸をｊとすると、スルー映像画の座標（ｉ、ｊ）のデータはＳijとなり、遅延映像画の座標（ｉ、ｊ）のデータはＤijとなる。従つて、これらの各データ（Ｓij及びＤij）ごとの差分（Ｓij−Ｄij）の絶対値（ａｂｓ）の総和を、次式、
【００４４】
【数１】
0004081729.tif 000002
【００４５】
によつて算出することにより、スルー映像及び遅延映像の相関値Ｅが求まる。
【００４６】
このようにして算出された相関値Ｅは相関判定信号Ｓ４０Ｖ2 （図３）として続くシーンチエンジ判定回路４０Ｖ3 に供給される。シーンチエンジ判定回路４０Ｖ3 は、相関判定信号Ｓ４０Ｖ2 として入力された相関値Ｅに基づき、当該相関値Ｅを予め設定されている所定の閾値と比較する。この比較の結果、相関値Ｅが閾値よりも大きいと、このことは２つの映像画（スルー映像及び遅延映像）の間の相関度が小さいこと（シーンチエンジが有つたこと）を表しており、このときシーンチエンジ判定回路４０Ｖ3 はシーンチエンジ検出信号Ｓ４０Ｖをシステムコントローラ１０４に供給する。
【００４７】
システムコントローラ１０４はシーンチエンジ検出信号Ｓ４０Ｖが入力されると、このときスルー映像としてシーンチエンジ検出部４０Ｖに供給されている映像フレームに対応するＴＯＣ情報にシーンチエンジの有無を表すフラグを記述する。
【００４８】
因みに、シーンチエンジを検出する方法としては、図４について上述した各画素ごとの差分値の総和を求める方法に代えて、例えば各画像の信号レベルのヒストグラムを相関を用いる方法や、各画面を複数の領域に分けた後各領域での相関を計算して多数決を行う方法等を用いるようにしても良い。
【００４９】
また信号検出部４０の無音検出部４０Ａは、選択デイジタル音声信号ＡＵ４１の無音部分を検出するようになされている。すなわち、図５に示すように、無音検出部４０Ａは各映像フレームごとのデイジタル音声データ（選択デイジタル音声信号ＡＵ４１）について、無音判定処理をステツプＳＰ１０から開始し、ステツプＳＰ１１においてデイジタル音声データを入力する。このデイジタル音声データ（選択デイジタル音声信号ＡＵ４１）はこの実施の形態の場合図６（Ａ）に示すように、サンプリング周波数が16[KHz] でありかつ１秒間に30フレームのレートで処理されていることにより、１フレームあたり16K/30の音声レベルデータからなる。従つて無音検出部４０Ａは図５のステツプＳＰ１２において各音声レベルを絶対値化し（図６（Ｂ））、さらにステツプＳＰ１３において１フレームにおける絶対値の平均値Ａｖｅ（図６（Ｃ））を算出する。
【００５０】
そして無音検出部４０Ａは、続くステツプＳＰ１４において平均値Ａｖｅが予め設定された閾値よりも小さいか否かを判断する。ここで肯定結果が得られると、このことは音声レベルの平均値が無音であると判断し得る程度に小さいことを表しており、このとき無音検出部４０ＡはステツプＳＰ１５に移つて無音検出信号Ｓ４０をシステムコントローラ１０４（図２）に送出する。これに対してステツプＳＰ１４において否定結果が得られると、このことは音声レベルの平均値が無音ではないと判断し得る程度に大きいことを表しており、このとき無音検出部４０ＡはステツプＳＰ１６に移つて、有音判定出力として無音検出信号Ｓ４０Ａをネガテイブレベルとする。
【００５１】
システムコントローラ１０４は無音検出信号Ｓ４０Ａが入力されると、このとき無音検出部４０Ａに供給されている映像フレームに対応するＴＯＣ情報に無音の有無を表すフラグを記述する。
【００５２】
ここでＴＯＣ情報は、図７に示すように、当該ＴＯＣ情報が対応付けられたフレーム（以下これを該当フレームと呼ぶ）のフレーム番号及びアドレスを表す24[bit] のフレーム番号情報ＤＡＴＡ１と、該当フレームに対して１フレームだけ過去のフレーム（前フレームと呼ぶ）の映像及び音声データが記録された光デイスク上のアドレスを表す32[bit] の前フレームアドレス情報ＤＡＴＡ２と、該当フレームに対して１フレームだけ未来のフレーム（後フレームと呼ぶ）の映像及び音声データが記録された光デイスク上のアドレスを表す32[bit] の後フレームアドレス情報ＤＡＴＡ３と、該当フレームの音声が無音であるか否かを表す１[bit] の無音フラグＤＡＴＡ４と、該当フレームの映像が前フレームに対してシーンチエンジしたか否かを表す１[bit] のシーンチエンジ（Ｓ／Ｃ）フラグＤＡＴＡ５と、該当フレーム以前のフレームにおいて音声が無音であると判定されたフレームのうち該当フレームに最も近いフレームのフレーム番号及びアドレスを表す24[bit] の前無音アドレス情報ＤＡＴＡ６と、該当フレームより後のフレームにおいて音声が無音であると判定されたフレームのうち該当フレームに最も近いフレームのフレーム番号及びアドレスを表す24[bit] の後無音アドレス情報ＤＡＴＡ７と、該当フレームより前のフレームにおいてシーンチエンジが検出されたフレームのうち該当フレームに最も近いフレームのフレーム番号及びアドレスを表す24[bit] の前シーンチエンジ（Ｓ／Ｃ）アドレス情報ＤＡＴＡ８と、該当フレームより後のフレームにおいてシーンチエンジが検出されたフレームのうち該当フレームに最も近いフレームのフレーム番号及びアドレスを表す24[bit] の後シーンチエンジ（Ｓ／Ｃ）アドレス情報ＤＡＴＡ９とが割り当てられている。
【００５３】
これらの情報（ＤＡＴＡ１〜ＤＡＴＡ９）は、映像信号ＶＤ１０及び音声信号ＡＵ１０を光デイスクに記録する際にＴＯＣ情報として生成され、光デイスク上のＴＯＣ記録領域に記録される。
【００５４】
このようにしてシステムコントローラ１０４は、光デイスクに記録された記録データＤ５０の各フレームに対応してＴＯＣ情報（ＤＡＴＡ１〜ＤＡＴＡ９）を生成し、これを光デイスクのＴＯＣ情報記録領域に記録する。
【００５５】
（３）再生系の構成
図１及び図２との対応部分に同一符号を付して示す図８において、映像音声信号記録再生装置１０（図１）の再生系１０PBは、ユーザが再生制御信号入力部１０３を介して再生動作を指定すると、システムコントローラ１０４の制御によつて先ず光デイスクに記録済のＴＯＣ情報ＤTOC を読み出し、当該ＴＯＣ情報に基づいて光デイスクから記録済の映像及び音声データを再生データＤ６０として読み出す。
【００５６】
光デイスクから読み出された再生データＤ６０は、再生信号処理部７０の再生データ処理部６３において、所定の再生フオーマツトに従い、例えばＥＦＭ(Eight to Fourteen Modulation)復調、エラー訂正、データの並べ換え等の処理が施された後、再生処理データＤ７０としてデータバスＢＵＳを介して分離部５５に供給される。
【００５７】
分離部５５は、再生処理データＤ７０を構成する各パケツトのヘツダ情報を解析することにより、同一チヤンネルごとの映像データパケツト及び音声データパケツトを抜き出し、映像データパケツトを映像分離データＤ５５Ａとして映像信号帯域伸張処理部７１に供給すると共に、音声データパケツトを音声分離データＤ５５Ｃとして音声信号帯域伸張処理部８５に供給する。このとき分離された映像及び音声データは、記録時にヘツダ情報にして付加されている時間情報に基づいて互いに同期しながら再生される。
【００５８】
映像信号帯域伸張処理部７１は、映像分離データＤ５５Ａに対してＭＰＥＧ又はＪＰＥＧ規格等に基づく帯域伸張処理を施すことによりデイジタル映像信号ＶＤ７１を復号生成し、これを映像切り換え／合成部７３に送出する。また、音声信号帯域伸張処理部８５は音声分離データＤ５５Ｃに対してＭＰＥＧオーデイオ又はＡＣ−３規格に基づく伸張処理を施すことによりデイジタル音声信号ＡＵ８５を復号生成し、これを音声切り換え／合成部８７に送出する。
【００５９】
また、この実施の形態の場合、再生系１０PBは同時２チヤンネル再生を行うことができるようになされており、第２のチヤンネルに対応して映像信号帯域伸張処理部７２及び音声信号帯域伸張処理部８６が設けられている。従つて、この場合、分離部５５はデータストリーム（再生処理データＤ７０）から第２のチヤンネルに対応した映像データパケツト及び音声データパケツトを分離し、これらをそれぞれ映像分離データＤ５５Ｂ及び音声分離データＤ５５Ｄとして映像信号帯域伸張処理部７２及び音声信号帯域伸張処理部８６に供給する。
【００６０】
映像信号帯域伸張処理部７２は映像分離データＤ５５Ｂに対してＭＰＥＧ又はＪＰＥＧ規格等に基づく帯域伸張処理を施すことによりデイジタル映像信号ＶＤ７２を復号生成し、これを映像切り換え／合成部７３に送出する。また、音声信号帯域伸張処理部８５は音声分離データＤ５５Ｄに対してＭＰＥＧオーデイオ又はＡＣ−３規格に基づく伸張処理を施すことによりデイジタル音声信号ＡＵ８６を復号生成し、これを音声切り換え／合成部８７に送出する。
【００６１】
映像切り換え／合成部７３は、第１チヤンネルのデイジタル映像信号ＶＤ７１又は第２チヤンネルのデイジタル映像信号ＶＤ７２のいずれかを選択し、これを選択デイジタル映像信号ＶＤ７３として映像信号Ｄ／Ａ変換部７８に送出する。因みに、映像切り換え／合成部７３は第１チヤンネルのデイジタル映像信号ＶＤ７１又は第２チヤンネルのデイジタル映像信号ＶＤ７２のいずれかを選択する切り換えモードに代えて、２つのデイジタル映像信号ＶＤ７１及びＶＤ７２）をピクチヤインピクチヤの手法を用いて１つの画面内に同時に表示するような合成モードを有しており、ユーザの選択に基づいてシステムコントローラ１０４によつていずれかのモードが選択される。
【００６２】
映像信号Ｄ／Ａ変換部７８は、選択デイジタル映像信号ＶＤ７３をアナログ映像信号ＶＤ７８に変換し、これを映像信号出力処理部７９に送出する。映像信号出力処理部７９は、アナログ映像信号ＶＤ７８に対してクロマエンコード等の処理を施し、この結果得られる映像信号を出力映像信号ＶＤ１００Ａとして出力する。
【００６３】
因みに、映像切り換え／合成部７３から出力される選択デイジタル映像信号ＶＤ７３はＤＶ方式圧縮部７６においてＤＶ方式で圧縮されることによりＤＶ信号ＶＤ１００Ｂとして出力されるようになされている。
【００６４】
また、第２チヤンネルの映像信号として映像信号帯域伸張処理部７２から出力されるデイジタル映像信号ＶＤ７２は映像信号Ｄ／Ａ変換部８１においてアナログ映像信号ＶＤ８１に変換された後、映像信号出力処理部８２においてクロマエンコード等の処理が施されることにより第２チヤンネル独自の出力映像信号ＶＤ１００Ｅとして出力される。
【００６５】
また、当該映像再生系においては、映像信号Ｄ／Ａ変換部７８からデイジタル映像信号ＶＤ１００Ｃが直接出力されるようになされており、これをデイジタル映像出力として使用することができる。
【００６６】
これに対して音声切り換え／合成部８７は、第１チヤンネルのデイジタル音声信号ＡＵ８５又は第２チヤンネルのデイジタル音声信号ＡＵ８６のいずれかをユーザの指定に基づいて選択し、これを選択デイジタル音声信号ＶＤ８７として音声信号Ｄ／Ａ変換部８９に送出する。
【００６７】
音声信号Ｄ／Ａ変換部８９は、選択デイジタル音声信号ＡＵ８７をアナログ音声信号ＡＵ８７に変換し、これを音声信号出力処理部９１に送出する。音声信号出力処理部９１は、アナログ音声信号ＡＵ８９に対して所定の音声処理を施し、この結果得られる音声信号を出力音声信号ＡＵ１００Ｄとして出力する。
【００６８】
因みに、音声切り換え／合成部８７から出力される選択デイジタル音声信号ＡＵ８７はＤＶ方式圧縮部７６においてＤＶ方式で圧縮されることにより映像信号と共にＤＶ信号ＶＤ１００Ｂとして出力されるようになされている。
【００６９】
また、第２チヤンネルの音声信号として音声信号帯域伸張処理部８６から出力されるデイジタル音声信号ＡＵ８６は映像信号Ｄ／Ａ変換部９２においてアナログ音声信号ＡＵ９２に変換された後、音声信号出力処理部９３において所定の音声処理が施されることにより第２チヤンネル独自の出力音声信号ＡＵ１００Ｃとして出力される。
【００７０】
また、当該音声再生系においては、音声信号Ｄ／Ａ変換部８９からデイジタル音声信号ＡＵ１００Ａが直接出力されるようになされており、これをデイジタル音声出力として使用することができる。
【００７１】
さらに、図８に示す再生系１０PBの再生信号処理部７０は、光デイスクから再生データ処理部６３を介して再生された再生処理データＤ７０を、データバスＢＵＳを介して圧縮方式変換部７４に入力するようになされている。圧縮方式変換部７４は、再生処理データＤ７０を記録系１０REC （図２）の映像信号帯域圧縮処理部２９での圧縮方法とは異なる他の圧縮方法で再度圧縮した後、これを圧縮デイジタル出力信号ＶＤ１００Ａとして外部に出力するようになされており、種々の圧縮方式に対応した出力信号を得ることができる。
【００７２】
ここで、再生信号処理部７０（図８）の映像切り換え／合成部７３から出力される選択デイジタル映像信号ＶＤ７３及び、音声切り換え／合成部８７から出力される選択デイジタル音声信号ＡＵ８７は、それぞれ信号検出部８０のシーンチエンジ検出部８０Ｖ及び無音検出部８０Ａに供給される。
【００７３】
シーンチエンジ検出部８０Ｖは図３及び図４について上述したシーンチエンジ検出部４０Ｖの場合と同様にして、選択デイジタル映像信号ＶＤ７３のシーンチエンジ点を検出し、これをシーンチエンジ検出信号Ｓ８０Ｖとしてシステムコントローラ１０４に送出する。
【００７４】
また無音検出部８０Ａは図５及び図６について上述した無音検出部４０Ａの場合と同様にして、選択デイジタル音声信号ＡＵ８７の無音部を検出し、これを無音検出信号Ｓ８０Ａとしてシステムコントローラ１０４に送出する。
【００７５】
システムコントローラ１０４はシーンチエンジ検出信号Ｓ８０Ｖ及び無音検出信号Ｓ８０Ａに基づいて、再生中の映像及び音声信号に対応した映像フレーム単位のＴＯＣ情報に、図７について上述した無音フラグＤＡＴＡ４、シーンチエンジ（Ｓ／Ｃ）フラグＤＡＴＡ５、前無音アドレス情報ＤＡＴＡ６及び後無音アドレス情報ＤＡＴＡ７等を記述することができる。これにより、光デイスクに記録済の映像及び音声データに対応したＴＯＣ情報にこれらの無音情報やシーンチエンジ情報が記述されていない場合、又は記録済映像及び音声データに対応したＴＯＣ情報が生成されていない場合でも、光デイスクから映像及び音声データを一旦再生することにより、再生系１０PBに設けられた信号検出部８０においてシーンチエンジ及び無音部が検出され、ＴＯＣ情報が生成される。
【００７６】
（４）編集点設定処理
図８に示す再生系１０PBにおいて得られた再生映像信号ＶＤ１００及び再生音声信号ＡＵ１００は、外部に接続されたモニタ等の表示手段に表示される。このとき、ユーザは当該モニタに表示された再生映像を見ながら再生制御信号入力部１０３に設けられている編集点指定操作部を操作することにより、ユーザがスキツプアウト点及びこれに対応するスキツプイン点を再生映像の各フレームに対応して設定することができる。
【００７７】
すなわち、図９はスキツプアウト点又はスキツプイン点を設定する際の編集点設定処理手順を示し、ユーザが再生制御信号入力部１０３を介して再生動作を指定すると、システムコントローラ１０４はステツプＳＰ２１において光デイスクから映像及び音声データの再生を開始する。この再生動作においてシステムコントローラ１０４は再生しようとする映像及び音声データに対応したＴＯＣ情報を映像及び音声データの再生動作に先立つて読み出し、これを内部メモリに格納する。この場合、当該読み出されたＴＯＣ情報の無音及びシーンチエンジに関する情報（無音フラグＤＡＴＡ４、シーンチエンジ（Ｓ／Ｃ）フラグＤＡＴＡ５、前無音アドレス情報ＤＡＴＡ６、後無音アドレス情報ＤＡＴＡ７、前シーンチエンジ（Ｓ／Ｃ）アドレス情報ＤＡＴＡ８、後シーンチエンジ（Ｓ／Ｃ）アドレス情報ＤＡＴＡ９）（図７）が既に記録済であるとシステムコントローラ１０４はこれらの情報を一旦内部メモリに格納することにより、必要に応じてこれらを読み出すことができる。これに対してＴＯＣ情報に無音及びシーンチエンジに関する情報が記録されていない場合には、システムコントローラ１０４は映像及び音声データを再生する際に再生系１０PBに設けられた信号検出部８０において図８について上述した方法により無音及びシーンチエンジの検出を行い、これらに関する情報を内部メモリのＴＯＣ情報に書き込むと共に必要に応じて使用する。ＴＯＣ情報として新たに生成された情報は、当該再生動作が終了する際に光デイスクのＴＯＣ領域に書き込まれる。
【００７８】
このようにして再生動作が開始されると、システムコントローラ１０４は図９のステツプＳＰ２２に移り、このとき再生される映像及び音声データに対応した無音検出結果をＴＯＣ情報又は再生データから検出し記憶すると共に、続くステツプＳＰ２３においてシーンチエンジ検出結果を同様にして記憶する。
【００７９】
さらにシステムコントローラ１０４はステツプＳＰ２４においてユーザが編集点（Ａ点）を設定したか否かを判断する。ここで否定結果が得られると、このことはユーザが編集点を設定していないことを表しており、このときシステムコントローラ１０４は上述のステツプＳＰ２２及びステツプＳＰ２３を繰り返す。これにより、ユーザによる編集点の設定が行われるまで、再生データに応じて最新の無音検出及びシーンチエンジ検出が行われる。
【００８０】
ここでユーザがモニタの画面を見ながら編集点を設定すると、システムコントローラ１０４はステツプＳＰ２４において肯定結果を得、続くステツプＳＰ２５に移つて当該ユーザによつて指定された編集点（Ａ点）が無音部であるか否かを判断する。この判断において肯定結果が得られると、このことはユーザが設定した編集点（Ａ点）が無音部であることを表しており、このときシステムコントローラ１０４はステツプＳＰ２６に移り、ユーザが設定した編集点（Ａ点）以降のシーンチエンジ検出結果を記憶すると共に、当該記憶された検出結果に基づきステツプＳＰ２７においてユーザ設定編集点（Ａ点）に最も近いシーンチエンジ点を、シーンチエンジ点に対応する補正編集点（Ａ″点）の候補として選択すると共にこのときの無音検出結果（無音の有無）をＴＯＣ情報又は再生データから検出する。
【００８１】
例えば図１０に示すような映像データ（図１０（Ａ））及び音声データ（図１０（Ｂ））の場合、映像データに対してユーザが設定した編集点（Ａ点）に最も近いシーンチエンジ点ＳＣ２が補正編集点Ａ″の候補として選択される。そしてシステムコントローラ１０４は当該選択されたシーンチエンジ点ＳＣ２がユーザ設定編集点（Ａ点）に対して予め設定された所定時間２／Ｔ以内に入つていると共に無音部であるか否かを図９のステツプＳＰ２８において判断する。因みに、この実施の形態の場合、Ｔ＝５秒に設定されている。この時間Ｔはユーザが編集点を設定した際に、ユーザが所望とするタイミングから大きく離れない程度であれば５秒以外の時間（例えば１０秒）でも良い。
【００８２】
ステツプＳＰ２８において肯定結果が得られると、このことはステツプＳＰ２７において選択されたシーンチエンジ点ＳＣ２がユーザ設定編集点（Ａ点）に対してＴ／２秒以内に入つていると共に無音部であることを表しており、このときシステムコントローラ１０４はステツプＳＰ４４に移り、補正編集点（Ａ″）の候補であるシーンチエンジ点ＳＣ２を補正編集点として決定する。これにより、ユーザ設定編集点（Ａ点）が無音部である場合に当該ユーザ設定編集点（Ａ点）に対してＴ／２秒以内でありかつ無音部であることを満足する最も近いシーンチエンジ点ＳＣ２が補正編集点（Ａ″）として決定される。
【００８３】
そしてシステムコントローラ１０４はステツプＳＰ３７において再生を終了する指令が入力されているか否かを判断し、否定結果が得られると上述のステツプＳＰ２２に戻つて同様の処理を繰り返す。これに対してステツプＳＰ３７において肯定結果が得られると、このことはユーザが再生を終了する指令を入力したことを表しており、このときシステムコントローラ１０４は当該処理手順を終了する。
【００８４】
これに対してステツプＳＰ２８において否定結果が得られると、このことは図１１に示すように、上述のステツプＳＰ２７において選択されたシーンチエンジ点ＳＣ２がユーザ設定編集点（Ａ点）に対してＴ／２秒以内に入つていない状態及び又は当該シーンチエンジ点ＳＣ２が無音部でない状態を表しており、このときシステムコントローラ１０４は図９のステツプＳＰ２９に移り、ユーザが設定した編集点（Ａ点）をこのときの編集点として決定し、ステツプＳＰ３７に移る。
【００８５】
また、上述のステツプＳＰ２５において否定結果が得られると、このときユーザが設定した編集点（Ａ点）が無音部でないことを表しており、システムコントローラ１０４はステツプＳＰ３１に移つてユーザ設定編集点（Ａ点）以後の無音検出結果をＴＯＣ情報又は再生データによつて検出し、さらに続くステツプＳＰ３２においてユーザ設定編集点（Ａ点）に最も近い無音部を、無音部に対応する補正編集点（Ａ′点）の候補として選択する。
【００８６】
そしてシステムコントローラ１０４は続くステツプＳＰ３３において補正編集点（Ａ′点）の候補がユーザ設定編集点（Ａ点）に対してＴ／２秒以内に入つているか否かを判断する。ここで肯定結果が得られると、このことは図１２に示すように無音部に対応する補正編集点（Ａ′点）の候補として上述のステツプＳＰ３２において選択された編集点が実用上十分な程度にユーザ設定編集点（Ａ点）に近いことを表しており、このときシステムコントローラ１０４はステツプＳＰ３４に移つてこのとき選択されている編集点を補正編集点（Ａ′点）として決定し、ステツプＳＰ３７に移る。これにより、図１２に示すようにユーザが設定した編集点（Ａ点）が無音部でない場合に、ユーザ設定編集点（Ａ点）に対してＴ／２秒以内にある無音部が補正編集点（Ａ′点）として決定される。
【００８７】
これに対してステツプＳＰ３３において否定結果が得られると、このことはユーザ設定編集点（Ａ点）に最も近い無音部が、ユーザ設定編集点（Ａ点）に対してＴ／２秒以内に入つていないことを表しており、このときシステムコントローラ１０４はステツプＳＰ４１に移つて、ユーザ設定編集点（Ａ点）以後のシーンチエンジ検出結果をＴＯＣ情報又は再生データから検出し、当該検出結果に基づいてユーザ設定編集点（Ａ点）に最も近いシーンチエンジ点を、シーンチエンジ点に対応した補正編集点（Ａ″点）の候補として選択する。
【００８８】
そしてシステムコントローラ１０４は続くステツプＳＰ４３において補正編集点（Ａ″点）がユーザ設定編集点（Ａ点）に対してＴ／２秒以内に入つているか否かを判断する。ここで肯定結果が得られると、このことは補正編集点（Ａ″点）の候補であるシーンチエンジ点ＳＣ２がユーザ設定編集点（Ａ点）に対して実用上十分な程度に近いことを表しており、このときシステムコントローラ１０４はステツプＳＰ４４に移つてシーンチエンジ点ＳＣ２を補正編集点（Ａ″点）として決定し、ステツプＳＰ３７に移る。これにより、ユーザ設定編集点（Ａ点）が無音部でなく、かつ当該ユーザ設定編集点（Ａ点）に対してＴ／２秒以内に無音部がない場合に、ユーザ設定編集点（Ａ点）に対してＴ／２秒以内にあるシーンチエンジ点ＳＣ２が補正編集点（Ａ″点）として決定される。
【００８９】
またこれに対してステツプＳＰ４３において否定結果が得られると、このことは図１４に示すように、ユーザ設定編集点（Ａ点）が無音部でなく、かつ当該ユーザ設定編集点（Ａ点）に対してＴ／２秒以内に無音部及びシーンチエンジ点のいずれもないことを表しており、このときシステムコントローラ１０４はステツプＳＰ２９に移つて、ユーザ設定編集点（Ａ点）を編集点として決定しステツプＳＰ３７に移る。
【００９０】
かくしてシステムコントローラ１０４は図９に示す編集点処理手順を再生動作中に常時実行することにより、スキツプアウト点及びスキツプイン点としてユーザが設定したユーザ設定編集点（Ａ点）に応じて補正編集点が決定される。このとき、ユーザ設定編集点（Ａ点）はシステムコントローラ１０４内に格納されているＴＯＣ情報（図７）に書き込まれる。すなわち、図９のステツプＳＰ２４においてユーザがスキツプアウト点としてユーザ設定編集点（Ａ点）を指定すると、当該指定信号は再生制御信号入力部１０３を介してシステムコントローラ１０４に供給される。システムコントローラ１０４は当該スキツプアウト点を指定する信号が入力されると、このとき再生中のフレームに対応したＴＯＣ情報にスキツプアウト点を表す情報を書き込む。この情報は図７に示すように、記録時において当該フレームに対応するＴＯＣ情報として既に生成済のＴＯＣ情報（ＤＡＴＡ１〜ＤＡＴＡ９）に付加される１[bit] のスキツプアウトＯＲＧフラグＤＡＴＡ１０であり、ユーザが指定したフレームのＴＯＣ情報に当該スキツプアウトＯＲＧフラグＤＡＴＡ１０が設定される。
【００９１】
このスキツプアウトＯＲＧフラグＤＡＴＡ１０によつて当該フレームがスキツプアウト点であることが記述されると、これに対応して図９において補正編集点（Ａ点、Ａ′点又はＡ″点）が決定され、この結果当該ＴＯＣ情報に対応付けられるフレームがスキツプアウト点のままであるか又はスキツプアウト点が他のフレームに補正されたかに応じてスキツプアウトＯＲＧフラグＤＡＴＡ１０の補正が１[bit] のスキツプアウト補正フラグＤＡＴＡ１２において行われる。
【００９２】
スキツプアウトＯＲＧフラグＤＡＴＡ１０及びスキツプアウト補正フラグＤＡＴＡ１２によつてスキツプアウトが指定された場合、これに続いてユーザが再生映像をモニタ上で確認しながらスキツプイン点としてユーザ設定編集点（Ａ点）を図９について上述したステツプＳＰ２４において指定すると、当該指定されたスキツプイン点がスキツプ先として32[bit] のスキツプインＯＲＧアドレス情報ＤＡＴＡ１１に割り当てられる。そしてスキツプインＯＲＧアドレス情報ＤＡＴＡ１１に対応して図９において補正編集点（Ａ点、Ａ′点又はＡ″点）が決定され、32[bit] のスキツプイン補正アドレス情報ＤＡＴＡ１３として記述される。
【００９３】
これにより、後述するスキツプ再生を行う際に、スキツプアウト点として指定されたフレームが再生されると、当該フレームに対応したＴＯＣ情報に基づいてスキツプ先であるイン点に再生位置がスキツプされる。
【００９４】
かくしてユーザが設定した各スキツプアウト点及びスキツプイン点に対して補正編集点が決定されると、システムコントローラ１０４は当該補正編集点をＴＯＣ情報として保存し、スキツプ再生が指定された際に当該ＴＯＣ情報に基づいて必要部分のみを再生する。因みに保存されるＴＯＣ情報はシステムコントローラ１０４の内部メモリに格納される他、光デイスクのＴＯＣ情報を書き換えることによつて光デイスクに保存するようにしても良い。
【００９５】
（５）スキツプ再生処理
ここで、編集点の補正及び当該補正された補正編集点によるスキツプ再生処理の一例を説明する。図１５に示すように、光デイスクから再生される映像データ（図１５（Ａ））及び音声データ（図１５（Ｂ））において、スキツプアウト点としてＡ点がユーザによつて指定されると共に当該スキツプアウト点（Ａ点）のスキツプ先としてＢ点がスキツプイン点として設定され、さらにスキツプアウト点としてＣ点がユーザによつて指定されると共に当該スキツプアウト点（Ｃ点）のスキツプ先としてＤ点がスキツプイン点として設定されると、システムコントローラ１０４はこれらのユーザ設定編集点（Ａ点、Ｂ点、Ｃ点及びＤ点）について、音声の有無及びシーンチエンジの有無に応じた補正編集点を決定する。
【００９６】
図１５に示す映像及び音声の場合、ユーザ設定編集点であるＡ点は有音部であると共にシーンチエンジ点がＡ点の近傍に存在しないことにより、システムコントローラ１０４は所定時間Ｔ秒内（すなわちＡ点に対してＴ／２秒以内）の無音部を選択し、これを補正編集点（Ａ′）として決定する。
【００９７】
またユーザ設定編集点であるＢ点は無音部であると共にシーンチエンジ点がＢ点の近傍に存在しないことにより、システムコントローラ１０４はユーザ設定編集点であるＢ点をそのまま補正編集点（Ｂ′点）として決定する。
【００９８】
またユーザ設定編集点であるＣ点は有音部であり、所定時間Ｔ秒内にシーンチエンジ点ＳＣ１及びＳＣ２が存在することにより、システムコントローラ１０４はＣ点に最も近いシーンチエンジ点ＳＣ１を補正編集点（Ｃ′点）として決定する。
【００９９】
さらにユーザ設定編集点であるＤ点は有音部であり当該Ｄ点の近傍に無音部及びシーンチエンジ点のいずれも存在しないことにより、システムコントローラ１０４はユーザ設定編集点であるＤ点をそのまま補正編集点（Ｄ′点）として決定する。
【０１００】
かくして補正編集点として決定されたＡ′点、Ｂ′点、Ｃ′点及びＤ′点は、それぞれＴＯＣ情報によつて保存され、ユーザがスキツプ再生を指定すると、図１６に示すように、システムコントローラ１０４は当該ＴＯＣ情報を参照しながら、光デイスクに記録されている映像及び音声データの先頭部分から再生を開始し、スキツプアウト点である補正編集点（Ａ′点）に達すると再生位置をスキツプイン点である補正編集点（Ｂ′点）までスキツプさせ、エリア１に続いてエリア３を再生する。そしてスキツプアウト点である補正編集点（Ｃ′点）に達すると再生位置をスキツプイン点である補正編集点（Ｄ′点）までスキツプさせ、エリア３に続いてエリア５を再生する。これにより、必要な部分（エリア１、エリア３及びエリア５）のみが繋がつて編集映像及び音声として再生される。
【０１０１】
（６）実施の形態の動作及び効果
以上の構成において、映像及び音声記録再生装置１０において光デイスクに記録されている映像及び音声データ（素材データ）の再生をユーザが指定すると、システムコントローラ１０４は光デイスクから映像及び音声データを再生してこれをモニタに表示する。このときユーザはモニタ上に表示された素材としての映像を見ながら、不必要な部分の先頭をスキツプアウト点（ユーザ設定編集点）として指定すると共に不必要な部分の後端をスキツプイン点（ユーザ設定編集点）として指定する。
【０１０２】
このときユーザはモニタ上に表示された映像に基づいて必要な部分及び不必要な部分を判断し、スキツプアウト点及びスキツプイン点を設定する。この場合、ユーザによつて指定されたスキツプアウト点及びスキツプイン点は、必ずしも音声が無音となる部分であるとは限らず、例えば映像内において人物が連続して会話しているシーンの一部をユーザが必要部分又は不必要部分と判断すると、当該会話の途中でスキツプアウト点がユーザによつて設定されることになる。従つてこの場合、システムコントローラ１０４はユーザが指定したユーザ設定編集点（スキツプアウト点及びスキツプイン点）に最も近い無音部及び又はシーンチエンジ点を探し、これにより検出された無音部及び又はシーンチエンジ点を編集点として決定する。
【０１０３】
ここで、無音部及びシーンチエンジ点の両方がユーザ設定編集点の近傍に存在すると、当該無音部でありかつシーンチエンジ点である位置を補正編集点とすることにより、素材である映像及び音声の纏まりのある１シーンの区切れを編集点として設定し得ることにより、スキツプ再生された映像及び音声は、違和感のない映像の繋がりと共に無音部で音声が繋がるといつた自然なスキツプ再生映像及び音声が得られる。
【０１０４】
これに対して、ユーザ設定編集点の近傍に無音部のみが存在する場合、当該無音部が補正編集点として決定されることにより、スキツプ再生映像及び音声において違和感のない音声の繋がりがユーザ設定編集点から大きく外れることのない位置で得られる。
【０１０５】
また、ユーザ設定編集点の近傍にシーンチエンジ点のみが存在する場合、当該シーンチエンジ点が補正編集点として決定される。この場合、当該補正編集点は無音部ではないが、一般にシーンチエンジ点においては全体の音声レベルが小さくなつている場合又は周辺音のなかで主の音声が無い場合が多く、かかるシーンチエンジ点が補正編集点として決定されることにより、纏まりのある映像と違和感のない音声の繋がりによつて違和感のない再生スキツプ映像及び音声が得られる。
【０１０６】
以上の構成によれば、ユーザ設定編集点が有音部であるとき、当該ユーザ設定編集点の近傍にある無音部が補正編集点として決定されることにより、当該編集点を繋いでスキツプ再生された映像及び音声において会話シーンの語頭や語尾の欠落（途切れ）が回避される。かくしてスキツプ再生映像及び音声を視聴する際に当該スキツプ再生映像及び音声の内容把握が容易になる。
【０１０７】
（７）他の実施の形態
（７−１）上述の実施の形態においては、編集点の設定及び補正を１フレーム単位で行う場合について述べたが、本発明はこれに限らず、フレヒムの整数倍であつても良い。
【０１０８】
（７−２）上述の実施の形態においては、１秒あたり３０フレームの映像及び音声を扱う場合について述べたが、本発明はこれに限らず、任意のフレームレートの映像及び音声信号であつても良い。また、映像及び音声のフレームレートが異なつている場合においても本発明を適用し得る。
【０１０９】
（７−３）上述の実施の形態においては、映像フレーム単位で編集点の設定及び補正を行う場合について述べたが、本発明はこれに限らず、ＭＰＥＧ規格で規定されているＧＯＰ(Group Of Pictures) 単位で編集点の設定を行うと共に、フレーム単位で編集点の補正を行うようにしても良い。
【０１１０】
すなわち図１７に示すように、映像信号がＭＰＥＧ方式によつて符号化されておりＧＯＰ構造（１５フレームによつて１ＧＯＰが構成される）を有する場合、システムコントローラ１０４はユーザ設定編集点をＧＯＰ単位で行うようにする。例えばスキツプアウト点をＡ点に設定した場合、当該Ａ点での音声執行は有音部であることにより、Ａ点に最も近い無音部Ａ′点が補正編集点として決定される。
【０１１１】
この補正された結果に基づいてスキツプ再生を行う場合、映像信号はＡ点以降、Ａ′点までＧＯＰ１の最後のフレームをフリーズする方法又は、Ａ′点まで通常に出力する（ＧＯＰ２の途中まで出力する）方法を用いることができる。
【０１１２】
（７−４）上述の実施の形態においては、ＭＰＥＧ方式等で帯域圧縮される前の映像信号及び音声信号に対してフレーム単位で編集点の設定及び補正を行う場合について述べたが、本発明はこれに限らず、ＭＰＥＧ規格によるＧＯＰ構造を有する映像信号に対してフレーム単位で編集点の設定を行うと共に、スキツプ再生において映像信号をフレーム単位でシームレスに継ぎ目無く接続するようにし得る。
【０１１３】
すなわち図１８において、映像（図１８（Ａ））は１５フレームで１ＧＯＰを構成するＭＰＥＧ映像信号であり、Ｉピクチヤ、Ｂピクチヤ及びＰピクチヤによつて構成されている。補正位置（図１８（Ｂ））はユーザが前提したスキツプ位置（ユーザ設定編集点）に対して補正を施した結果（補正編集点）であり、このうちＡ点がスキツプアウト点でありＢ点がＡ点に対するスキツプイン点である。また、ＤＥＣ１入力（図１８（Ｃ））は図８について上述した映像信号帯域伸張処理部７１の入力信号（映像分離データＤ５５Ａ）であり、ＤＥＣ１出力（図１８（Ｄ））は映像信号帯域伸張処理部７１の出力信号（デイジタル映像信号ＶＤ７１）であり、ＤＥＣ２入力（図１８（Ｅ））は図８について上述した映像信号帯域伸張処理部７２の入力信号（映像分離データＤ５５Ｂ）であり、ＤＥＣ２出力（図１８（Ｆ））は映像信号帯域伸張処理部７２の出力信号（デイジタル映像信号ＶＤ７２）であり、映像出力（図１８（Ｇ））は図８について上述した映像切り換え／合成部７３の出力信号（選択デイジタル映像信号ＶＤ７３）である。
【０１１４】
スキツプ再生において、Ｐピクチヤ（Ｐ８）とＢピクチヤ（Ｂｎ４）をシームレスに接続する場合、先ずＤＥＣ１（映像信号帯域伸張処理部７１）にはＡ点（Ｐ８）まで通常再生と同様に連続的にＤＥＣ１入力（映像分離データＤ５５Ａ）が入力される。これと同時に、ＤＥＣ１出力（デイジタル映像信号ＶＤ７１）のＰピクチヤ（Ｐ８）の次のフレームにＤＥＣ２（映像帯域伸張処理部７２）の出力（デイジタル映像信号ＶＤ７２）として、Ｂ点の映像（Ｂｎ４）が現れるタイミングとなるようにＤＥＣ２（映像信号帯域伸張処理部７２）にＤＥＣ２入力（映像分離データＤ５５Ｂ）を入力する。
【０１１５】
すなわち、ＤＥＣ１（映像信号帯域伸張処理部７１）にＢピクチヤ（Ｂ４）を入力するのと同時に、ＤＥＣ２（映像信号帯域伸張処理部７２）にＩピクチヤ（Ｉｎ２）を入力することにより、図１８（Ｆ）に示すＤＥＣ２出力（デイジタル映像信号ＶＤ７２）を得る。
【０１１６】
従つて、ＤＥＣ１出力（デイジタル映像信号ＶＤ７１）及びＤＥＣ２出力（デイジタル映像信号ＶＤ７２）をＣ点で切り換えることにより、ＭＰＥＧのフレーム単位でのスキツプ再生でシームレスに接続された映像出力（選択デイジタル映像信号ＶＤ７３）を得る。
【０１１７】
（７−５）上述の実施の形態においては、システムコントローラ１０４において生成されたＴＯＣ情報ＤTOC を光デイスクに設けられた専用の領域に記録する場合について述べたが、本発明はこれに限らず、ＴＯＣ情報を映像信号及び音声信号に多重化して光デイスクに記録するようにしても良い。
【０１１８】
（７−６）上述の実施の形態においては、図９の処理手順のステツプＳＰ２５においてユーザ設定編集点（Ａ点）が無音部である判定結果が得られたとき、さらにシーンチエンジ点を検出し、無音部でありかつシーンチエンジ点である位置を補正編集点（Ａ″点）として決定する場合について述べたが、本発明はこれに限らず、ユーザ設定編集点（Ａ点）が無音部であれば、シーンチエンジ点を探すことなく当該ユーザ設定編集点（Ａ点）を編集点として決定するようにしても良い。この場合、図９に示す処理手順において、ステツプＳＰ２６、ステツプＳＰ２７及びステツプＳＰ２８が省略される。
【０１１９】
（７−７）上述の実施の形態においては、記録媒体として光デイスクを用いる場合について述べたが、本発明はこれに限らず、例えば光磁気デイスク等、他の種々のラングムアクセス可能な記録媒体を広く用いることができる。
【０１２０】
（７−８）上述の実施の形態においては、光デイスクに記録された映像及び音声信号をスキツプ再生することによつて所望の編集済信号を得る映像及び音声信号記録再生装置１０について述べたが、本発明はこれに限らず、スキツプ再生した結果得られる編集済信号を記録媒体（光デイスク）に上書きすることにより、編集済信号を記録する編集装置においても本発明を適用し得る。
【０１２１】
【発明の効果】
上述のように本発明によれば、音声信号の無音部を検出する無音部検出手段と、映像信号のシーンチエンジ点を検出するシーンチエンジ検出手段と、設定された編集点が無音部であるか否かを判断する無音部判断手段と設定された編集点を中心として予め設定された所定範囲以内にシーンチエンジ点があるか否かを判断するシーンチエンジ点判断手段と、無音部判断手段によって編集点が無音部と判断され、かつシーンチエンジ点判断手段によって所定範囲内にシーンチエンジ点がある場合に、編集点を補正編集点として決定することにより、編集点において接続された映像と音声との間において不自然なつながりを回避することができるため、映像と音声において違和感のないつながった映像と音声を編集し得ることができ、かくして違和感のないつながった映像と音声を編集し得る編集装置を実現できる。
また第２の発明によれば、音声信号の有音部を検出する有音部検出手段と、映像信号のシーンチエンジ点を検出するシーンチエンジ検出手段と、設定された編集点が有音部であるとき、当該編集点を中心として予め設定された所定範囲以内にシーンチエンジ点があるか否かを判断するシーンチエンジ点判断手段と、所定範囲内に無音部があるか否かを判断する無音部判断手段と、編集点が有音部であり、所定範囲内にシーンチエンジ点があると判断され、かつ所定範囲内に無音部が無いと判断された場合に、所定範囲内にあるシーンチエンジ点を補正編集点として決定することにより、編集点において接続された映像と音声との間において不自然なつながりを回避することができるため、映像と音声において違和感のないつながった映像と音声を編集し得ることができ、かくして違和感のないつながった映像と音声を編集し得る編集装置を実現できる。
【図面の簡単な説明】
【図１】本発明による映像及び音声信号記録再生装置の全体構成を示すブロツク図である。
【図２】映像及び音声信号記録再生装置の記録系の構成を示すブロツク図である。
【図３】シーンチエンジ検出部の構成を示すブロツク図である。
【図４】画像の相関値の算出方法の説明に供する略線図である。
【図５】無音検出処理手順を示すフローチヤートである。
【図６】無音検出部による無音判定方法の説明に供する略線図である。
【図７】ＴＯＣ情報の構成を示す略線図である。
【図８】映像及び音声信号記録再生装置の再生系の構成を示すブロツク図である。
【図９】編集点設定（補正）処理手順を示すフローチヤートである。
【図１０】編集点の補正状態を示す略線図である。
【図１１】編集点の補正状態を示す略線図である。
【図１２】編集点の補正状態を示す略線図である。
【図１３】編集点の補正状態を示す略線図である。
【図１４】編集点の補正状態を示す略線図である。
【図１５】編集点の補正処理の説明に供する略線図である。
【図１６】スキツプ再生の説明に供する略線図である。
【図１７】他の実施の形態によるＧＯＰ単位の編集点の設定例を示す略線図である。
【図１８】他の実施の形態によるＭＰＥＧ映像のシームレススキツプ再生方法の説明に供する略線図である。
【符号の説明】
１０……映像及び音声信号記録再生装置、２０……記録信号処理部、２９……映像信号帯域圧縮処理部、４０、８０……信号検出部、４０Ａ、８０Ａ……無音検出部、４０Ｖ、８０Ｖ……シーンチエンジ検出部、５１……多重化部、５５……分離部、６０……光デイスクドライブ、７０……再生信号処理部、７１、７２……映像信号帯域伸張処理部、８５、８６……音声信号帯域伸張処理部、１０４……システムコントローラ。
【図１】
0004081729.tif 000003
【図２】
0004081729.tif 000004
【図３】
0004081729.tif 000005
【図４】
0004081729.tif 000006
【図５】
0004081729.tif 000007
【図６】
0004081729.tif 000008
【図７】
0004081729.tif 000009
【図８】
0004081729.tif 000010
【図９】
0004081729.tif 000011
【図１０】
0004081729.tif 000012
【図１１】
0004081729.tif 000013
【図１２】
0004081729.tif 000014
【図１３】
0004081729.tif 000015
【図１４】
0004081729.tif 000016
【図１５】
0004081729.tif 000017
【図１６】
0004081729.tif 000018
【図１７】
0004081729.tif 000019
【図１８】
0004081729.tif 000020